(57)【要約】【課題】  安全性および信頼性を高め、また、ケージから引く抜く作業を容易にできる光モジュールを提供する。【解決手段】  光モジュール１の光コネクタ用開口部１４を塞ぐシャッター２０およびその開閉機構を設ける。シャッター２０の開閉動作に連動して動作するラッチ操作機構２３を設ける。ラッチ操作機構２３は、光モジュール１がケージ２内に収容されている状態でシャッター２０の開動作に連動して動作して光モジュール１のラッチ用突起部１７をケージ２のラッチ用孔部５に嵌合させ、シャッター２０の閉動作に連動して動作してラッチ用突起部１７とラッチ用孔部５の嵌合状態を解消させる機能を備えている。【選択図】        図１
2005345985.tif 000002
【特許請求の範囲】
【請求項１】
筒状の一端側を光モジュールの挿入口と成し当該光モジュール挿入口側の端部の底壁には弾性変形可能な舌片部が形成され当該舌片部にはラッチ用孔部が形成されているケージの前記光モジュール挿入口から挿入され挿入後端側を光モジュール挿入口から突出させた態様でもってケージ内に収容される光モジュールであって、この光モジュールには、光信号と電気信号の変化を行う光−電気変換部と、この光−電気変換部を収容するモジュールケースと、光−電気変換部を外部に光接続させるための光信号用接続部と、ケージから突出するモジュールケースの先端面に形成されている光コネクタ用開口部と、この光コネクタ用開口部を塞ぐシャッターと、このシャッターの開閉機構と、ケージのラッチ用孔部に嵌合して光モジュールをケージに位置決め固定するためのラッチ用突起部と、シャッターの開閉動作に連動して動作するラッチ操作機構とが設けられており、ラッチ操作機構は、ケージ内に光モジュールが収容配置されている状態でシャッターの開動作に連動してラッチ用突起部をケージのラッチ用孔部に嵌合させ、シャッターの閉動作に連動してラッチ用突起部とラッチ用孔部の嵌合状態を解消させることを特徴とする光モジュール。
【請求項２】
筒状の一端側を光モジュールの挿入口と成し当該光モジュール挿入口側の端部の底壁には弾性変形可能な舌片部が形成され当該舌片部にはラッチ用孔部が形成されているケージの前記光モジュール挿入口から挿入され挿入後端側を光モジュール挿入口から突出させた態様でもってケージ内に収容される光モジュールであって、この光モジュールには、光信号と電気信号の変化を行う光−電気変換部と、この光−電気変換部を収容するモジュールケースと、光−電気変換部を外部に光接続させるための光信号用接続部と、ケージのラッチ用孔部に嵌合して光モジュールをケージに位置決め固定するためのラッチ用突起部と、ケージから突出するモジュールケースの先端面に形成されている光コネクタ用開口部と、この光コネクタ用開口部を塞ぐシャッターと、このシャッターの端部からモジュールケースの底壁面に向かう方向に伸長形成されているアームと、このアームの伸長先端部をモジュールケースの底壁面に回動自在に取り付けるアーム取り付け部とが設けられており、シャッターは、アームの伸長先端部を中心にして回動して光コネクタ用開口部を開閉する構成と成し、アーム取り付け部には、シャッターを光コネクタ用開口部位置に閉鎖押圧させる弾性力をアームに付与する弾性部材が設けられ、また、モジュールケースの底壁面とケージの舌片部との間に入り込み配置される舌片部変形操作部がアームの伸長先端部から伸長形成されており、この舌片部変形操作部は、シャッターおよびアームが光コネクタ用開口部を閉じる方向に回動したときにアームの回動に連動してアーム側の基端部を中心にして回動し伸長先端部がケージの舌片部を外向きに押し出し弾性変形させ、舌片部のラッチ用孔部を光モジュールのラッチ用突起部から外してラッチ用孔部とラッチ用突起部の嵌合状態を解消させることを特徴とする光モジュール。
【請求項３】
筒状の一端側を光モジュールの挿入口と成し当該光モジュール挿入口側の端部の底壁には弾性変形可能な舌片部が形成され当該舌片部にはラッチ用孔部が形成されているケージの前記光モジュール挿入口から挿入され挿入後端側を光モジュール挿入口から突出させた態様でもってケージ内に収容される光モジュールであって、この光モジュールには、光信号と電気信号の変化を行う光−電気変換部と、この光−電気変換部を収容するモジュールケースと、光−電気変換部を外部に光接続させるための光信号用接続部と、ケージのラッチ用孔部に嵌合して光モジュールをケージに位置決め固定するためのラッチ用突起部と、ケージから突出するモジュールケースの先端面に形成されている光コネクタ用開口部と、この光コネクタ用開口部を塞ぐシャッターと、このシャッターの端部からモジュールケースの底壁面に向かう方向に伸長形成されているアームと、このアームの伸長先端部をモジュールケースの底壁面に回動自在に取り付けるアーム取り付け部とが設けられており、シャッターは、アームの伸長先端部を中心にして回動して光コネクタ用開口部を開閉する構成と成し、アーム取り付け部には、シャッターを光コネクタ用開口部位置に閉鎖押圧させる弾性力をアームに付与する弾性部材が設けられており、ラッチ用突起部の形成領域は、アームに連接しシャッターおよびアームの回動に連動してアーム側の端部を中心にして回動可能なシャッター連動変位部と成し、このシャッター連動変位部は、シャッターおよびアームが光コネクタ用開口部を閉じる方向に回動したときには内向きに変位してラッチ用突起部をラッチ用孔部から外してラッチ用孔部とラッチ用突起部の嵌合状態を解消させ、シャッターおよびアームが光コネクタ用開口部を開放する方向に回動したときには外向きに変位してラッチ用突起部をラッチ用孔部に嵌合させることを特徴とする光モジュール。
【発明の詳細な説明】
【技術分野】
【０００１】
本発明は、光信号と電気信号の変換を行う光−電気変換部を内蔵した光モジュールに関するものである。
【背景技術】
【０００２】
光モジュールの一つに、ＳＦＰ（Small-Form-Factor-Pluggable）タイプの光モジュールがある。この光モジュールは図５（ａ）のモデル図に示されるような直方体状の外観形状を有し、ＭＳＡ（Multi-Source-Agreement）に基づいて作製されるものである。当該光モジュール１は、図６（ａ）に示されるような筒状のケージ２内に収容されて使用される。その筒状のケージ２の一端面は光モジュール挿入口３と成し、ケージ２の光モジュール挿入口３側の端部の底壁には、図６（ｃ）の拡大図に示されるような舌片部４が形成され、この舌片部４にはラッチ用孔部５が形成されている。このケージ２は、例えば、ホストボード（マザーボード）６に固定されている。
【０００３】
光モジュール１は、ケージ２の内部に光モジュール挿入口３から挿入され、図６（ｂ）に示されるように、挿入後端側を光モジュール挿入口３から突出させた態様でもってケージ２内に収容される。光モジュール１には、ケージ２内に収容されているときに、ケージ２のラッチ用孔部５に嵌まるラッチ用突起部が形成されており、そのラッチ用突起部がケージ２のラッチ用孔部５に嵌ることにより、光モジュール１がケージ２に位置決め固定される。つまり、光モジュール１は、ケージ２に差し込み固定することにより、ホストボード６に取り付けられる。
【０００４】
光モジュール１は、図７の模式的な断面図に示されるように、光信号と電気信号の変換を行う光−電気変換部８と、この光−電気変換部８と電気的に接続する回路が形成されている回路基板９とがパッケージケース１０内に収容配置されている構成を有している。
【０００５】
モジュールケース１０には、ケージ２に収容したときにケージ２の光モジュール挿入口３から突出する側の端部に、光−電気変換部８を外部に光接続させるための光コネクタ部１１が設けられ、モジュールケース１０の光コネクタ部形成側の端面は光コネクタ用開口部１４と成している。光コネクタ部１１は、一般的なＳＣコネクタやＭＵコネクタやＬＣコネクタ等にコネクタ接続することができる形態と成している。この光コネクタ部１１に外部の光コネクタが光コネクタ用開口部１４を通して差し込まれることにより、光−電気変換部８は、外部と光通信を行うことが可能となる。
【０００６】
さらに、モジュールケース１０には、ケージ２内に挿入するときに挿入先端側となる側の端部に、図５（ｂ）に示されるような開口部１５が形成されており、この開口部１５から回路基板９の端部が露出している。この露出している回路基板９の端部は、光モジュール１（モジュールケース１０）がケージ２内に差し込まれたときに、ケージ２内に収容されている電気用接続部材１２のクリップ状の基板挟持部１３によって挟持される。なお、電気用接続部材１２は導体により構成され、ホストボード６に固定されていると共に、ホストボード６に形成されている回路に電気的に接続されている。
【０００７】
電気用接続部材１２の基板挟持部１３により挟持される回路基板９の端部には、回路基板９の表面と裏面の両方又は一方に、回路基板９に形成されている回路の外部接続部としての電極パッドが形成されている。電気用接続部材１２の基板挟持部１３がその回路基板９の電極パッドに接触接続することにより、回路基板９の回路は、電気用接続部材１２を介してホストボード６の回路と電気的に接続することができる。なお、電気用接続部材１２と電気的に接続される回路基板９の端部は、エッジコネクタと呼ばれている。
【０００８】
【特許文献１】特開２００３−１０７３００号公報
【発明の開示】
【発明が解決しようとする課題】
【０００９】
ところで、光モジュール１をケージ２から抜き出す作業を容易にするために、光モジュール１には、当該光モジュール１のラッチ用突起部と、ケージ２のラッチ用孔部５との嵌合状態を解消させるラッチ解除手段（図示せず）が設けられることがある（例えば特許文献１参照）。しかしながら、そのラッチ解除手段によって光モジュール１のラッチ用突起部とケージ２のラッチ用孔部５との嵌合が解除された状態で、光モジュール１の光コネクタ部１１に外部の光コネクタが接続されて光通信が開始される虞があり、例えば、光通信中に、光モジュール１がケージ２から外れてしまう危険性があった。
【００１０】
また、従来の構成では、光モジュール１をケージ２から外すときには、例えば、光モジュール１の光コネクタ部１１から外部の光コネクタを外し、次に、ラッチ解除手段によって光モジュール１のラッチ用突起部とケージ２のラッチ用孔部５との嵌合状態を解消し、その後に、光モジュール１をケージ２から引き抜くという三段階の作業が必要であり、面倒であった。
【００１１】
さらに、光モジュール１がケージ２に差し込まれ光−電気変換部８から光信号（レーザ光）が出力されているときに、光コネクタ部１１に外部の光コネクタが差し込まれていないと、そのレーザ光は、光コネクタ用開口部１４を通って外部に出射されてしまい、例えばそのレーザ光が人の目に入ってしまうという心配があった。また、光コネクタ部１１に外部の光コネクタが差し込まれていないときには、光コネクタ用開口部１４から光モジュール１の内部に埃が入り易く、その埃の悪影響によって光信号が劣化して光モジュール１の光通信に対する信頼性が低下するという問題が生じることがあった。
【００１２】
本発明は上記課題を解決するために成されたものであり、その目的は、光通信中に、光モジュールが、ホストボードに固定されているケージから誤って外れてしまう事態を防止でき、また、光モジュールをケージから外す作業を簡単にでき、さらに、光モジュールの安全性や信頼性を高めることができる光モジュールを提供することにある。
【課題を解決するための手段】
【００１３】
上記目的を達成するために、この発明は次に示す構成をもって前記課題を解決するための手段としている。すなわち、この発明は、筒状の一端側を光モジュールの挿入口と成し当該光モジュール挿入口側の端部の底壁には弾性変形可能な舌片部が形成され当該舌片部にはラッチ用孔部が形成されているケージの前記光モジュール挿入口から挿入され挿入後端側を光モジュール挿入口から突出させた態様でもってケージ内に収容される光モジュールであって、この光モジュールには、光信号と電気信号の変化を行う光−電気変換部と、この光−電気変換部を収容するモジュールケースと、光−電気変換部を外部に光接続させるための光信号用接続部と、ケージから突出するモジュールケースの先端面に形成されている光コネクタ用開口部と、この光コネクタ用開口部を塞ぐシャッターと、このシャッターの開閉機構と、ケージのラッチ用孔部に嵌合して光モジュールをケージに位置決め固定するためのラッチ用突起部と、シャッターの開閉動作に連動して動作するラッチ操作機構とが設けられており、ラッチ操作機構は、ケージ内に光モジュールが収容配置されている状態でシャッターの開動作に連動してラッチ用突起部をケージのラッチ用孔部に嵌合させ、シャッターの閉動作に連動してラッチ用突起部とラッチ用孔部の嵌合状態を解消させることを特徴としている。
【００１４】
また、この発明は、筒状の一端側を光モジュールの挿入口と成し当該光モジュール挿入口側の端部の底壁には弾性変形可能な舌片部が形成され当該舌片部にはラッチ用孔部が形成されているケージの前記光モジュール挿入口から挿入され挿入後端側を光モジュール挿入口から突出させた態様でもってケージ内に収容される光モジュールであって、この光モジュールには、光信号と電気信号の変化を行う光−電気変換部と、この光−電気変換部を収容するモジュールケースと、光−電気変換部を外部に光接続させるための光信号用接続部と、ケージのラッチ用孔部に嵌合して光モジュールをケージに位置決め固定するためのラッチ用突起部と、ケージから突出するモジュールケースの先端面に形成されている光コネクタ用開口部と、この光コネクタ用開口部を塞ぐシャッターと、このシャッターの端部からモジュールケースの底壁面に向かう方向に伸長形成されているアームと、このアームの伸長先端部をモジュールケースの底壁面に回動自在に取り付けるアーム取り付け部とが設けられており、シャッターは、アームの伸長先端部を中心にして回動して光コネクタ用開口部を開閉する構成と成し、アーム取り付け部には、シャッターを光コネクタ用開口部位置に閉鎖押圧させる弾性力をアームに付与する弾性部材が設けられ、また、モジュールケースの底壁面とケージの舌片部との間に入り込み配置される舌片部変形操作部がアームの伸長先端部から伸長形成されており、この舌片部変形操作部は、シャッターおよびアームが光コネクタ用開口部を閉じる方向に回動したときにアームの回動に連動してアーム側の基端部を中心にして回動し伸長先端部がケージの舌片部を外向きに押し出し弾性変形させ、舌片部のラッチ用孔部を光モジュールのラッチ用突起部から外してラッチ用孔部とラッチ用突起部の嵌合状態を解消させることをも特徴としている。
【００１５】
さらに、この発明は、筒状の一端側を光モジュールの挿入口と成し当該光モジュール挿入口側の端部の底壁には弾性変形可能な舌片部が形成され当該舌片部にはラッチ用孔部が形成されているケージの前記光モジュール挿入口から挿入され挿入後端側を光モジュール挿入口から突出させた態様でもってケージ内に収容される光モジュールであって、この光モジュールには、光信号と電気信号の変化を行う光−電気変換部と、この光−電気変換部を収容するモジュールケースと、光−電気変換部を外部に光接続させるための光信号用接続部と、ケージのラッチ用孔部に嵌合して光モジュールをケージに位置決め固定するためのラッチ用突起部と、ケージから突出するモジュールケースの先端面に形成されている光コネクタ用開口部と、この光コネクタ用開口部を塞ぐシャッターと、このシャッターの端部からモジュールケースの底壁面に向かう方向に伸長形成されているアームと、このアームの伸長先端部をモジュールケースの底壁面に回動自在に取り付けるアーム取り付け部とが設けられており、シャッターは、アームの伸長先端部を中心にして回動して光コネクタ用開口部を開閉する構成と成し、アーム取り付け部には、シャッターを光コネクタ用開口部位置に閉鎖押圧させる弾性力をアームに付与する弾性部材が設けられており、ラッチ用突起部の形成領域は、アームに連接しシャッターおよびアームの回動に連動してアーム側の端部を中心にして回動可能なシャッター連動変位部と成し、このシャッター連動変位部は、シャッターおよびアームが光コネクタ用開口部を閉じる方向に回動したときには内向きに変位してラッチ用突起部をラッチ用孔部から外してラッチ用孔部とラッチ用突起部の嵌合状態を解消させ、シャッターおよびアームが光コネクタ用開口部を開放する方向に回動したときには外向きに変位してラッチ用突起部をラッチ用孔部に嵌合させることをも特徴としている。
【発明の効果】
【００１６】
この発明によれば、光コネクタ用開口部を塞ぐシャッターを設けた。このため、光モジュールに外部の光コネクタが接続されていないときには、シャッターによって光コネクタ用開口部を塞ぐことにより、光信号用接続部から出射された光信号（レーザ光）が光コネクタ用開口部を通して外部に出力されてしまうことを防止でき、外部に出力されたレーザ光が人の目に入ってしまうという事態発生を回避できる。また、光コネクタ用開口部から光モジュール内に埃が入り込んで光信号を劣化させ、光通信に対する信頼性を低下させてしまうという問題を防止することができる。
【００１７】
さらに、この発明では、シャッターの閉動作に連動して動作して光モジュールのラッチ用突起部とケージのラッチ用孔部との嵌合状態を解消することができる構成を備えたので、例えば、光モジュールから外部の光コネクタを抜き出した後にシャッターを閉動作させるだけで、光モジュールのラッチ用突起部とケージのラッチ用孔部との嵌合状態を解消できる。このため、ラッチ用突起部とラッチ用孔部の嵌合状態を解消するための動作を行うことなく、光モジュールをケージから抜き出すことが可能となる。
【００１８】
さらに、シャッターにはアームが連接され、当該アームの伸長先端部はアーム取り付け部によって光モジュールのモジュールケースの底壁面に回動自在に取り付けられており、シャッターは、アームの伸長先端部を中心にして回動して光コネクタ用開口部を開閉する構成と成し、アーム取り付け部には、シャッターを光コネクタ用開口部位置に閉鎖押圧させる弾性力をアームに付与する弾性部材が設けられている構成を備えることにより、例えば光モジュールから外部の光コネクタが抜き出されたときには、アーム取り付け部の弾性部材の弾性力によって、シャッターが自ずから光コネクタ用開口部を閉じる方向に回動して光コネクタ用開口部を閉鎖させることができる。このために、光モジュールから外部の光コネクタを抜き出した後に、シャッターをわざわざ閉じる面倒が無く、光モジュールの使い勝手を向上させることができる。
【００１９】
また、光モジュールから外部の光コネクタが抜き出されたときには、シャッターが自ずから光コネクタ用開口部を閉鎖するので、シャッターの閉め忘れに起因した問題を回避することができる。つまり、光モジュールから外部の光コネクタを抜き出した後にシャッターを閉め忘れたために、シャッターが設けられているのにも拘わらず、光信号用接続部から出射された光信号が光コネクタ用開口部を通って外部に出力されて人の目に入ってしまうという問題や、光モジュール内に埃が入り易くなって埃により光信号が劣化して光通信に対する信頼性を低下させるというような問題を防止することができる。
【００２０】
さらに、アーム取り付け部に弾性部材が設けられている構成に加えて、シャッターおよびアームの回動に連動して光モジュールのラッチ用突起部と、ケージのラッチ用孔部との嵌合状態を解消させる手段を設ける構成を備えることにより、つまり、モジュールケースの底壁面とケージの舌片部との間に入り込み配置される舌片部変形操作部が設けられ当該舌片部変形操作部はシャッターおよびアームが光コネクタ用開口部を閉じる方向に回動したときにアームの回動に連動して回動し舌片部を外向きに押し出し弾性変形させて舌片部のラッチ用孔部と光モジュールのラッチ用突起部との嵌合状態を解消させる構成、あるいは、ラッチ用突起部の形成領域は、アームに連接しシャッターおよびアームの回動に連動して変位するシャッター連動変位部と成し当該シャッター連動変位部はシャッターが光コネクタ用開口部を閉じる方向に回動したときに内向きに変位してラッチ用突起部をケージのラッチ用孔部から外してラッチ用突起部とラッチ用孔部の嵌合状態を解消させる構成を設けることによって、次に示すような効果を得ることができる。すなわち、光モジュールから外部の光コネクタが抜き出されたときには、アーム取り付け部の弾性部材の弾性力によってシャッターが自ずから光コネクタ用開口部を閉じる方向に回動し、しかも、そのシャッターの回動に連動して舌片部変形操作部又はシャッター連動変位部が回動して、ラッチ用突起部とラッチ用孔部の嵌合状態が解消されることとなる。
【００２１】
つまり、光モジュールから光コネクタを抜き出すだけで、シャッターが光コネクタ用開口部を閉じ、また、そのシャッターの閉動作に伴って、光モジュールのラッチ用突起部と、ケージのラッチ用孔部との嵌合状態が解消する。このため、光モジュールから光コネクタを抜き出した後には、シャッターを閉じるための作業や、ラッチ用突起部とラッチ用孔部の嵌合を解消させるための作業を行うことなく、光モジュールをケージから引く抜くことができる。これにより、光モジュールをケージから取り出す作業が非常に簡単となる。
【００２２】
また、この発明では、光モジュールがケージに収容されているときに、シャッターの開動作により光コネクタ用開口部が開放され光モジュールに外部の光コネクタが接続されているときには、シャッターの動作に連動して動作する例えば舌片部変形操作部又はシャッター連動変位部等のラッチ操作機構によって、光モジュールのラッチ用突起部とケージのラッチ用孔部とを確実に嵌合させて光モジュールをケージに位置決め固定できる。このため、光通信中に、ケージから光モジュールが外れてしまうという問題を防止することができる。
【発明を実施するための最良の形態】
【００２３】
以下に、この発明に係る実施形態例を図面に基づいて説明する。
【００２４】
図１には第１実施形態例の光モジュールの主要な構成部分が模式的な断面図によりケージに収容された状態でもって示されている。なお、この第１実施形態例の説明において、図５〜図７に示されている光モジュールおよびケージの構成部分と同一構成部分には同一符号を付し、その共通部分の重複説明は省略する。
【００２５】
この第１実施形態例では、光モジュール１は、光−電気変換部８と、光−電気変換部８を収容するモジュールケース１０と、モジュールケース１０の一端面に形成された光コネクタ用開口部１４と、光−電気変換部８を外部に光接続させるための光信号用接続部（フェルール部）１６と、ケージ２内に収容されているときにケージ２のラッチ用孔部５に嵌合して光モジュール１をケージ２に位置決め固定するためのラッチ用突起部１７とを有し、さらに、光モジュール１は、光コネクタ用開口部１４を塞ぐシャッター２０と、このシャッター２０の底部側の端部からモジュールケース１０の底壁面に向かって伸長形成されているアーム２１と、このアーム２１の伸長先端部をモジュールケース１０の底壁面に回動自在に取り付けるアーム取り付け部２２と、アーム２１の伸長先端部からさらに伸長して形成されたラッチ操作機構である舌片部変形操作部２３とを有している。
【００２６】
この第１実施形態例では、アーム２１とアーム取り付け部２２がシャッター２０の開閉機構と成しており、シャッター２０は、アーム２１の伸長先端部（アーム取り付け部２２）を中心にして回動して光コネクタ用開口部１４を開閉する構成と成している。アーム取り付け部２２には、シャッター２０を図１の点線に示されるような光コネクタ用開口部位置に閉鎖押圧させる弾性力をアーム２１に付与する弾性部材（例えば、ばね（図示せず））が設けられている。このため、例えば光コネクタ用開口部１４を開放させる方向の外力がシャッター２０に加えられていないときには、シャッター２０は自ずから光コネクタ用開口部１４を閉鎖する方向に回動して光コネクタ用開口部１４を閉鎖する構成となっている。
【００２７】
舌片部変形操作部２３は、例えば成形技術等によりシャッター２０およびアーム２１と一体的に形成され、シャッター２０およびアーム２１の回動動作に連動してアーム側の基端側を中心にして回動するものである。当該舌片部変形操作部２３は、光モジュール１がケージ２内に収容されているときには、モジュールケース１０の底壁面と、ケージ２の舌片部４との間に入り込み配置される。例えば図１の実線や図２（ａ）のモデル図に示されるように、シャッター２０が光コネクタ用開口部１４を開放しているときには、舌片部変形操作部２３は、モジュールケース１０の底壁面に沿うような姿勢でもってモジュールケース１０の底壁面と、ケージ２の舌片部４との間に配置される。舌片部変形操作部２３がそのような状態であるときには、光モジュール１のラッチ用突起部１７と、ケージ２のラッチ用孔部５とは嵌合し、これにより、光モジュール１は、ケージ２に対して位置決め固定される。
【００２８】
このような状態から、シャッター２０およびアーム２１が光コネクタ用開口部１４を閉じる方向に回動したときには、舌片部変形操作部２３は、そのアーム２１の回動に連動し、当該舌片部変形操作部２３の伸長先端部が外向きに変位する方向に回動する。このとき、図１の点線および図２（ｂ）のモデル図に示されるように、舌片部変形操作部２３の伸長先端部がケージ２の舌片部４を外向きに押し出し弾性変形させて、ケージ２のラッチ用孔部５が光モジュール１のラッチ用突起部１７から抜け出てラッチ用孔部５とラッチ用突起部１７との嵌合状態は解消されるように、舌片部変形操作部２３が設計されている。つまり、舌片部変形操作部２３におけるアーム取り付け部側の基端側から伸長先端部までの長さや、アームに対する舌片部変形操作部２３の傾き角度等が、ラッチ用突起部１７の突出高さや、ラッチ用孔部５の形成位置等を考慮して、設定されている。
【００２９】
以下に、第２実施形態例を説明する。なお、この第２実施形態例の説明では、第１実施形態例と同一構成部分には同一符号を付し、その共通部分の重複説明は省略する。
【００３０】
図３には第２実施形態例の光モジュールの主要な構成部分が模式的な断面図によりケージに収容された状態でもって示されている。この第２実施形態例では、シャッター２０の左右両側の上端部分からそれぞれアーム２１がモジュールケース１０の底壁面に向けて伸長形成されており、これらアーム２１の伸長先端部は、それぞれ、アーム取り付け部２２によって、モジュールケース１０の底壁面に回動自在に取り付けられている。それらアーム２１とアーム取り付け部２２がシャッター２０の開閉機構と成しており、シャッター２０は、アーム２１の伸長先端部を中心にして回動して光コネクタ用開口部１４を開閉する構成となっている。
【００３１】
この第２実施形態例では、ラッチ用突起部１７の形成領域は、アーム取り付け部２２を介してアーム２１に連接しシャッター２０およびアーム２１の回動に連動してアーム取り付け部２２側の端部を中心にして回動可能なシャッター連動変位部２５と成し、ラッチ操作機構として機能する構成となっている。
【００３２】
このシャッター連動変位部２５は、図３の実線や図４（ａ）のモデル図に示されるように、シャッター２０が光コネクタ用開口部１４を開放しているときには、モジュールケース１０の底壁とほぼ同一平面状となる位置に配置される。光モジュール１がケージ２に収容されているときに、シャッター連動変位部２５がそのような位置に配置されることにより、ラッチ用突起部１７はケージ２のラッチ用孔部５に嵌合し、光モジュール１をケージ２に位置決め固定させる。
【００３３】
また、図３の点線や図４（ｂ）のモデル図に示されるように、シャッター２０およびアーム２１が光コネクタ用開口部１４を閉鎖する方向に回動したときには、シャッター連動変位部２５は、そのアーム２１の回動に連動し、アーム取り付け部２２側の端部を中心にして内向きに回動変位する。この変位によって、ラッチ用突起部１７をケージ２のラッチ用孔部５から外してラッチ用突起部１７とラッチ用孔部５との嵌合状態が解消できるように、シャッター２０とアーム２１とシャッター連動変位部２５が関連付けられて設計されている。
【００３４】
この第２実施形態例では、上記以外の光モジュール１の構成は、第１実施形態例に示した光モジュール１の構成と同様である。
【００３５】
なお、この発明は第１と第２の各実施形態例の形態に限定されるものではなく、様々な実施の形態を採り得る。例えば、第１実施形態例では、アーム２１と舌片部変形操作部２３は一体成形されていたが、舌片部変形操作部２３は、アーム２１の回動に連動してアーム２１側の基端部を中心にして回動できるように構成すれば、アーム２１と別体の部材により構成されていてもよい。
【図面の簡単な説明】
【００３６】
【図１】第１実施形態例の光モジュールの主要な構成部分を説明するための断面図である。
【図２】第１実施形態例の光モジュールにおいて特徴的なシャッターの開閉動作に関わる構成を説明するためのモデル図である。
【図３】第２実施形態例の光モジュールの主要な構成部分を説明するための断面図である。
【図４】第２実施形態例の光モジュールにおいて特徴的なシャッターの開閉動作に関わる構成を説明するためのモデル図である。
【図５】光モジュールの外観例を示したモデル図である。
【図６】光モジュールを収容するケージの一例、および、光モジュールのケージへの収容形態例を説明するためのモデル図である。
【図７】光モジュールの内部構造を簡略的に示した断面図である。
【符号の説明】
【００３７】
１  光モジュール
２  ケージ
３  光モジュール挿入口
４  舌片部
５  ラッチ用孔部
８  光−電気変換部
１０  モジュールケース
１４  光コネクタ用開口部
１６  光信号用接続部
１７  ラッチ用突起部
２０  シャッター
２１  アーム
２２  アーム取り付け部
２３  舌片部変形操作部
２５  シャッター連動変位部
【図１】
2005345985.tif 000003
【図２】
2005345985.tif 000004
【図３】
2005345985.tif 000005
【図４】
2005345985.tif 000006
【図５】
2005345985.tif 000007
【図６】
2005345985.tif 000008
【図７】
2005345985.tif 000009